(57)【要約】  【課題】  より適切な操作内容を案内すること。  【解決手段】  案内操作内容を案内するガイドを実行するガイド部６４と、複数操作内容を第１複数ガイド７６に対応付ける第１ガイドデータベース６２と、複数操作内容を第１複数ガイド７６と異なる第２複数ガイド７９に対応付ける第２ガイドデータベース６３と、ガイドが実行された後に操作されたユーザ操作内容が案内操作内容かどうか判別する判別部６５とを備えている。ガイド部６４は、ユーザ操作内容が案内操作内容であるときに、第１ガイドデータベース６２を参照して、第１複数ガイド７６のうちのユーザ操作内容に対応するガイドを案内し、ユーザ操作内容が案内操作内容でないときに、第２ガイドデータベース６３を参照して、第２複数ガイド７９のうちのユーザ操作内容に対応するガイドを案内することが好ましい。  【選択図】  図６
2005331878.tif 000002
【特許請求の範囲】
【請求項１】
案内操作内容を案内するガイドを実行するガイド部と、
複数操作内容を第１複数ガイドに対応付ける第１ガイドデータベースと、
前記複数操作内容を前記第１複数ガイドと異なる第２複数ガイドに対応付ける第２ガイドデータベースと、
前記ガイドが実行された後に操作されたユーザ操作内容が前記案内操作内容かどうか判別する判別部とを具備し、
前記ガイド部は、
前記ユーザ操作内容が前記案内操作内容であるときに、前記第１ガイドデータベースを参照して、前記第１複数ガイドのうちの前記ユーザ操作内容に対応するガイドを案内し、
前記ユーザ操作内容が前記案内操作内容でないときに、前記第２ガイドデータベースを参照して、前記第２複数ガイドのうちの前記ユーザ操作内容に対応するガイドを案内する
電子楽器。
【請求項２】
請求項１において、
実行部を更に具備し、
前記第１ガイドデータベースは、前記複数操作内容を第１複数動作に更に対応付け、
前記第２ガイドデータベースは、前記複数操作内容を前記第１複数動作と異なる第２複数動作に更に対応付け、
前記実行部は、
前記ユーザ操作内容が前記案内操作内容であるときに、前記第１ガイドデータベースを参照して、前記第１複数動作のうちの前記ユーザ操作内容に対応する動作を実行し、
前記ユーザ操作内容が前記案内操作内容でないときに、前記第２ガイドデータベースを参照して、前記第２複数動作のうちの前記ユーザ操作内容に対応する動作を実行する
電子楽器。
【請求項３】
請求項１において、
前記ユーザ操作内容が前記案内操作内容であるときに、前記ユーザ操作内容に対応する対応動作を実行する実行部を更に具備し、
前記実行部は、前記ユーザ操作内容が前記案内操作内容でないときに、前記対応動作を実行しない
電子楽器。
【請求項４】
請求項１において、
前記ユーザ操作内容が前記案内操作内容であるときに、前記ユーザ操作内容に対応する対応動作を実行する実行部を更に具備し、
前記実行部は、前記ユーザ操作内容が前記案内操作内容でないときに、前記対応動作を実行しないで前記ユーザ操作内容が前記案内操作内容でないことを警告する
電子楽器。
【請求項５】
請求項１において、
前記ユーザ操作内容が前記案内操作内容であるときに、前記ユーザ操作内容に対応する対応動作を実行する実行部を更に具備し、
前記実行部は、前記ユーザ操作内容が前記案内操作内容でないときに、前記ガイド部が動作するガイドモードから前記ガイド部が動作しない通常モードに切り替える
電子楽器。
【請求項６】
請求項５において、
前記ガイドモードでは、楽音が発生されない
電子楽器。
【請求項７】
請求項１〜請求項６のいずれかにおいて、
前記案内操作内容は、複数スイッチのうちの１つのスイッチを操作することであり、
前記ガイドは、前記複数スイッチをそれぞれ示す複数ランプが点滅することである
電子楽器。
【請求項８】
請求項１〜請求項６のいずれかにおいて、
前記案内操作内容は、複数スイッチのうちの１つのスイッチを操作することであり、
前記ガイドは、前記複数スイッチを示す画面を表示することである
電子楽器。
【請求項９】
請求項１〜請求項６のいずれかにおいて、
前記案内操作内容は、複数スイッチのうちの１つのスイッチを操作することであり、
前記ガイドは、前記複数スイッチを示す音声メッセージを発音することである
電子楽器。
【発明の詳細な説明】
【技術分野】
【０００１】
本発明は、電子楽器に関し、特に、ユーザに操作を案内する電子楽器に関する。
【背景技術】
【０００２】
多数の機能を実行することができる電子楽器が知られている。このような電子楽器は、階層化された複数のスイッチを備え、スイッチが所定の順番で押下されることにより、その機能を実行している（たとえば、非特許文献１参照。）。このような電子楽器は、ユーザにとって使い勝手がよくなるように、次に操作しなければならない操作内容を案内することが望まれている。
【０００３】
特開平１０−１４３１５６号公報には、操作すべきスイッチを簡単に知ることができる操作性に優れた電子楽器の操作装置が開示されている。その電子楽器の操作装置は、複数のスイッチ群を有し、各スイッチ群に含まれる各スイッチには表示器を備えている。その電子楽器の操作装置は、動作開始を指示する電源スイッチと、該電源スイッチがオンにされた場合に最初に操作すべきスイッチ群に含まれる各スイッチの表示器に点滅表示を行わせ、該スイッチ群の何れかのスイッチが押された場合に、次に操作すべきスイッチ群に含まれる各スイッチの表示器に点滅表示を行わせ、該スイッチ群の何れかのスイッチが押された場合に、次に操作すべきスイッチ群に含まれる各スイッチの表示器に点滅表示を行わせる。
【０００４】
【特許文献１】特開平１０−１４３１５６号公報
【非特許文献１】株式会社河合楽器製作所、カワイ電子オルガン・ドリマトーンＤＴ９／ＤＴ７取扱説明書
【発明の開示】
【発明が解決しようとする課題】
【０００５】
本発明の課題は、より適切な操作内容を案内する電子楽器を提供することにある。
【課題を解決するための手段】
【０００６】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【０００７】
本発明による電子楽器（１）は、案内操作内容を案内するガイドを実行するガイド部（６４）と、複数操作内容を第１複数ガイド（７６）に対応付ける第１ガイドデータベース（６２）と、複数操作内容を第１複数ガイド（７６）と異なる第２複数ガイド（７９）に対応付ける第２ガイドデータベース（６３）と、ガイドが実行された後に操作されたユーザ操作内容が案内操作内容かどうか判別する判別部（６５）とを備えている。ガイド部（６４）は、ユーザ操作内容が案内操作内容であるときに、第１ガイドデータベース（６２）を参照して、第１複数ガイド（７６）のうちのユーザ操作内容に対応するガイドを案内し、ユーザ操作内容が案内操作内容でないときに、第２ガイドデータベース（６３）を参照して、第２複数ガイド（７９）のうちのユーザ操作内容に対応するガイドを案内することが好ましい。
【０００８】
本発明による電子楽器（１）は、実行部（６６）を更に備えている。第１ガイドデータベース（６２）は、複数操作内容を第１複数動作（７７）に更に対応付けている。第２ガイドデータベース（６３）は、複数操作内容を第１複数動作（７７）と異なる第２複数動作（８０）に更に対応付けている。このとき、実行部（６６）は、ユーザ操作内容が案内操作内容であるときに、第１ガイドデータベース（６２）を参照して、第１複数動作（７７）のうちのユーザ操作内容に対応する動作を実行し、ユーザ操作内容が案内操作内容でないときに、第２ガイドデータベース（６３）を参照して、第２複数動作（８０）のうちのユーザ操作内容に対応する動作を実行することが好ましい。
【０００９】
本発明による電子楽器（１）は、ユーザ操作内容が案内操作内容であるときに、ユーザ操作内容に対応する対応動作を実行する実行部（６６）を更に備えている。このとき、実行部（６６）は、ユーザ操作内容が案内操作内容でないときに、対応動作を実行しない、すなわち、ユーザの操作を無視することが好ましい。
【００１０】
本発明による電子楽器（１）は、ユーザ操作内容が案内操作内容であるときに、ユーザ操作内容に対応する対応動作を実行する実行部（６６）を更に備えている。このとき、実行部（６６）は、ユーザ操作内容が案内操作内容でないときに、対応動作を実行しないでユーザ操作内容が案内操作内容でないことを警告することが好ましい。
【００１１】
本発明による電子楽器（１）は、ユーザ操作内容が案内操作内容であるときに、ユーザ操作内容に対応する対応動作を実行する実行部（６６）を更に備えている。このとき、実行部（６６）は、ユーザ操作内容が案内操作内容でないときに、ガイド部（６４）が動作するガイドモードからガイド部（６４）が動作しない通常モードに切り替えることが好ましい。さらに、本発明による電子楽器（１）は、ガイドモードで楽音が発生されないことが好ましい。
【００１２】
案内操作内容は、複数スイッチのうちの１つのスイッチを操作することであり、ガイドは、複数スイッチをそれぞれ示す複数ランプが点滅することであることが好ましい。案内操作内容は、複数スイッチのうちの１つのスイッチを操作することであり、ガイドは、複数スイッチを示す画面を表示することであることが好ましい。案内操作内容は、複数スイッチのうちの１つのスイッチを操作することであり、ガイドは、複数スイッチを示す音声メッセージを発音することであることが好ましい。
【発明の効果】
【００１３】
本発明による電子楽器は、より適切な操作内容を案内することができる。
【発明を実施するための最良の形態】
【００１４】
図面を参照して、本発明による電子楽器の実施の形態を記載する。その電子楽器１は、図１に示されているように、電子楽器本体２とフロントパネル３とを備えている。電子楽器本体２は、情報処理装置（コンピュータ）であり、インストールされているコンピュータプログラムを実行して、フロントパネル３を制御する。フロントパネル３は、入力装置と出力装置とから形成されている。その入力装置は、ユーザにより操作され、その操作内容を電子楽器本体２に出力する。その出力装置は、電子楽器本体２により出力される情報をユーザに認識可能に表現する。
【００１５】
図２は、フロントパネル３を示している。フロントパネル３は、アッパー鍵盤１１とロワー鍵盤１２とキーボードコンダクターエリア１４と第１ロワーペダルソロエリア１５と第２ロワーペダルソロエリア１６と第１ロワーオーケストラエリア１７と第２ロワーオーケストラエリア１８とアッパーティビアパーカスエリア１９とティビアコントロールエリア２０とアッパースペシャルエリア２１とロワースペシャルエリア２２と第１アッパーオーケストラエリア２３と第２アッパーオーケストラエリア２４と第１アッパーソロエリア２５と第２アッパーソロエリア２６とペダルオーケストラエリア２７とオートプレイオーケストラリズムエリア２８とオートプレイオーケストラアカンパニメントエリア２９とＬＣＤエリア３１とを備えている。
【００１６】
アッパー鍵盤１１は、複数の楽音に対応付けられている複数の鍵から形成されている。ロワー鍵盤１２は、複数の楽音に対応付けられている複数の鍵から形成されている。電子楽器１は、アッパー鍵盤１１のうちの打鍵される鍵に対応する楽音を発生し、ロワー鍵盤１２のうちの打鍵される鍵に対応する楽音を発生する。
【００１７】
図３は、キーボードコンダクターエリア１４を示している。キーボードコンダクターエリア１４には、ペダルティビアスイッチ３５−１とペダルオーケストラスイッチ３５−２と第１ペダルソロスイッチ３５−３と第２ペダルソロスイッチ３５−４とロワーティビアスイッチ３５−５と第１ロワーオーケストラスイッチ３５−６と第２ロワーオーケストラスイッチ３５−７とロワースペシャルスイッチ３５−８と第１ロワーソロスイッチ３５−９と第２ロワーソロスイッチ３５−１０とアッパーティビアパーカススイッチ３５−１１と第１アッパーオーケストラスイッチ３５−１２と第２アッパーオーケストラスイッチ３５−１３とアッパースペシャルスイッチ３５−１４と第１アッパーソロスイッチ３５−１５と第２アッパーソロスイッチ３５−１６とが配置されている。
【００１８】
ペダルティビアスイッチ３５−１は、ペダルティビアＬＥＤ３６−１を備えている。ペダルオーケストラスイッチ３５−２は、ペダルオーケストラＬＥＤ３６−２を備えている。第１ペダルソロスイッチ３５−３は、ペダルソロ１ＬＥＤ３６−３を備えている。第２ペダルソロスイッチ３５−４は、ペダルソロ２ＬＥＤ３６−４を備えている。ロワーティビアスイッチ３５−５は、ロワーティビアＬＥＤ３６−５を備えている。第１ロワーオーケストラスイッチ３５−６は、第１ロワーオーケストラＬＥＤ３６−６を備えている。第２ロワーオーケストラスイッチ３５−７は、第２ロワーオーケストラＬＥＤ３６−７を備えている。ロワースペシャルスイッチ３５−８は、ロワースペシャルＬＥＤ３６−８を備えている。
【００１９】
第１ロワーソロスイッチ３５−９は、第１ロワーソロＬＥＤ３６−９を備えている。第２ロワーソロスイッチ３５−１０は、第２ロワーソロＬＥＤ３６−１０を備えている。アッパーティビアパーカススイッチ３５−１１は、アッパーティビアパーカスＬＥＤ３６−１１を備えている。第１アッパーオーケストラスイッチ３５−１２は、第１アッパーオーケストラＬＥＤ３６−１２を備えている。第２アッパーオーケストラスイッチ３５−１３は、第２アッパーオーケストラＬＥＤ３６−１３を備えている。アッパースペシャルスイッチ３５−１４は、アッパースペシャルＬＥＤ３６−１４を備えている。第１アッパーソロスイッチ３５−１５は、第１アッパーソロＬＥＤ３６−１５を備えている。第２アッパーソロスイッチ３５−１６は、第２アッパーソロＬＥＤ３６−１６を備えている。
【００２０】
ペダルティビアスイッチ３５−１は、押下されると、ティビアコントロールエリア２０に配置されるスイッチによる設定が有効になる。ペダルオーケストラスイッチ３５−２は、押下されると、ペダルオーケストラエリア２７に配置されるスイッチによる設定が有効になる。ペダルソロ１スイッチ３５−３は、押下されると、第１ロワーペダルソロエリア１５に配置されるスイッチによる設定が有効になる。ペダルソロ２スイッチ３５−４は、押下されると、第２ロワーペダルソロエリア１６に配置されるスイッチによる設定が有効になる。ロワーティビアスイッチ３５−５は、押下されると、ティビアコントロールエリア２０に配置されるスイッチによる設定が有効になる。第１ロワーオーケストラスイッチ３５−６は、押下されると、第１ロワーオーケストラエリア１７に配置されるスイッチによる設定が有効になる。第２ロワーオーケストラスイッチ３５−７は、押下されると、第２ロワーオーケストラエリア１８に配置されるスイッチによる設定が有効になる。ロワースペシャルスイッチ３５−８は、押下されると、ロワースペシャルエリア２２に配置されるスイッチによる設定が有効になる。
【００２１】
第１ロワーソロスイッチ３５−９は、押下されると、第１ロワーペダルソロエリア１５に配置されるスイッチによる設定が有効になる。第２ロワーソロスイッチ３５−１０は、押下されると、第２ロワーペダルソロエリア１６に配置されるスイッチによる設定が有効になる。アッパーティビアパーカススイッチ３５−１１は、押下されると、アッパーティビアパーカスエリア１９に配置されるスイッチによる設定が有効になる。第１アッパーオーケストラスイッチ３５−１２は、押下されると、第１アッパーオーケストラエリア２３に配置されるスイッチによる設定が有効になる。第２アッパーオーケストラスイッチ３５−１３は、押下されると、第２アッパーオーケストラエリア２４に配置されるスイッチによる設定が有効になる。アッパースペシャルスイッチ３５−１４は、押下されると、アッパースペシャルエリア２１に配置されるスイッチによる設定が有効になる。第１アッパーソロスイッチ３５−１５は、押下されると、第１アッパーソロエリア２５に配置されるスイッチによる設定が有効になる。第２アッパーソロスイッチ３５−１６は、押下されると、第２アッパーソロエリア２６に配置されるスイッチによる設定が有効になる。
【００２２】
ペダルティビアＬＥＤ３６−１は、点灯しているときに、ティビアコントロールエリア２０に配置されるスイッチによる設定が有効であることを示している。ペダルオーケストラＬＥＤ３６−２は、点灯しているときに、ペダルオーケストラエリア２７に配置されるスイッチによる設定が有効であることを示している。ペダルソロ１ＬＥＤ３６−３は、点灯しているときに、第１ロワーペダルソロエリア１５に配置されるスイッチによる設定が有効であることを示している。ペダルソロ２ＬＥＤ３６−４は、点灯しているときに、第２ロワーペダルソロエリア１６に配置されるスイッチによる設定が有効であることを示している。ロワーティビアＬＥＤ３６−５は、点灯しているときに、ティビアコントロールエリア２０に配置されるスイッチによる設定が有効であることを示している。第１ロワーオーケストラＬＥＤ３６−６は、点灯しているときに、第１ロワーオーケストラエリア１７に配置されるスイッチによる設定が有効であることを示している。第２ロワーオーケストラＬＥＤ３６−７は、点灯しているときに、第２ロワーオーケストラエリア１８に配置されるスイッチによる設定が有効であることを示している。ロワースペシャルＬＥＤ３６−８は、点灯しているときに、ロワースペシャルエリア２２に配置されるスイッチによる設定が有効であることを示している。
【００２３】
第１ロワーソロＬＥＤ３６−９は、点灯しているときに、第１ロワーペダルソロエリア１５に配置されるスイッチによる設定が有効であることを示している。第２ロワーソロＬＥＤ３６−１０は、点灯しているときに、第２ロワーペダルソロエリア１６に配置されるスイッチによる設定が有効であることを示している。アッパーティビアパーカスＬＥＤ３６−１１は、点灯しているときに、アッパーティビアパーカスエリア１９に配置されるスイッチによる設定が有効であることを示している。第１アッパーオーケストラＬＥＤ３６−１２は、点灯しているときに、第１アッパーオーケストラエリア２３に配置されるスイッチによる設定が有効であることを示している。第２アッパーオーケストラＬＥＤ３６−１３は、点灯しているときに、第２アッパーオーケストラエリア２４に配置されるスイッチによる設定が有効であることを示している。アッパースペシャルＬＥＤ３６−１４は、点灯しているときに、アッパースペシャルエリア２１に配置されるスイッチによる設定が有効であることを示している。第１アッパーソロＬＥＤ３６−１５は、点灯しているときに、第１アッパーソロエリア２５に配置されるスイッチによる設定が有効であることを示している。第２アッパーソロＬＥＤ３６−１６は、点灯しているときに、第２アッパーソロエリア２６に配置されるスイッチによる設定が有効であることを示している。
【００２４】
図４は、アッパースペシャルエリア２１を示している。アッパースペシャルエリア２１には、アッパーピアノスイッチ４１−１とアッパーマレットスイッチ４１−２とアッパーオルガンスイッチ４１−３とアッパーコズミックスイッチ４１−４とアッパーギタースイッチ４１−５とアッパーブラスストリングススイッチ４１−６とアッパーパッドスイッチ４１−７とアッパーオールスイッチ４１−８とが配置されている。
【００２５】
アッパースペシャルエリア２１には、さらに、エフェクトセッティングスイッチ４２とサスティンスイッチ４３と複数のボリュームスイッチ４４と複数のボリュームＬＥＤ４６とが配置されている。
【００２６】
アッパーピアノスイッチ４１−１は、アッパーピアノＬＥＤ４５−１を備えている。アッパーマレットスイッチ４１−２は、アッパーマレットＬＥＤ４５−２を備えている。アッパーオルガンスイッチ４１−３は、アッパーオルガンＬＥＤ４５−３を備えている。アッパーコズミックスイッチ４１−４は、アッパーコズミックＬＥＤ４５−４を備えている。アッパーギタースイッチ４１−５は、アッパーギターＬＥＤ４５−５を備えている。アッパーブラスストリングススイッチ４１−６は、アッパーブラスストリングスＬＥＤ４５−６を備えている。アッパーパッドスイッチ４１−７は、アッパーパッドＬＥＤ４５−７を備えている。アッパーオールスイッチ４１−８は、アッパーオールＬＥＤ４５−８を備えている。
【００２７】
アッパーピアノＬＥＤ４５−１は、点灯しているときに、アッパーピアノスイッチ４１−１が有効であることを示している。アッパーマレットＬＥＤ４５−２は、点灯しているときに、アッパーマレットスイッチ４１−２が有効であることを示している。アッパーオルガンＬＥＤ４５−３は、点灯しているときに、アッパーオルガンスイッチ４１−３が有効であることを示している。アッパーコズミックＬＥＤ４５−４は、点灯しているときに、アッパーコズミックスイッチ４１−４が有効であることを示している。アッパーギターＬＥＤ４５−５は、点灯しているときに、アッパーギタースイッチ４１−５が有効であることを示している。アッパーブラスストリングスＬＥＤ４５−６は、点灯しているときに、アッパーブラスストリングススイッチ４１−６が有効であることを示している。アッパーパッドＬＥＤ４５−７は、点灯しているときに、アッパーパッドスイッチ４１−７が有効であることを示している。アッパーオールＬＥＤ４５−８は、点灯しているときに、アッパーオールスイッチ４１−８が有効であることを示している。
【００２８】
エフェクトセッティングスイッチ４２は、操作されることにより、エフェクトを内容を変更する。サスティンスイッチ４３は、サスティンを内容を変更するときに操作される。複数のボリュームスイッチ４４は、ボリュームを調節するときに操作される。複数のボリュームＬＥＤ４６は、ボリュームスイッチ４４により調節されたボリュームを示している。
【００２９】
キーボードコンダクターエリア１４には、アッパースペシャルエリア２１と同様にして、複数のＬＥＤをそれぞれ備える複数のスイッチが配置されている。第１ロワーペダルソロエリア１５には、アッパースペシャルエリア２１と同様にして、複数のＬＥＤをそれぞれ備える複数のスイッチが配置されている。第２ロワーペダルソロエリア１６には、アッパースペシャルエリア２１と同様にして、複数のＬＥＤをそれぞれ備える複数のスイッチが配置されている。第１ロワーオーケストラエリア１７には、アッパースペシャルエリア２１と同様にして、複数のＬＥＤをそれぞれ備える複数のスイッチが配置されている。第２ロワーオーケストラエリア１８には、アッパースペシャルエリア２１と同様にして、複数のＬＥＤをそれぞれ備える複数のスイッチが配置されている。
【００３０】
ロワースペシャルエリア２２には、アッパースペシャルエリア２１と同様にして、複数のＬＥＤをそれぞれ備える複数のスイッチが配置されている。第１アッパーオーケストラエリア２３には、アッパースペシャルエリア２１と同様にして、複数のＬＥＤをそれぞれ備える複数のスイッチが配置されている。第２アッパーオーケストラエリア２４には、アッパースペシャルエリア２１と同様にして、複数のＬＥＤをそれぞれ備える複数のスイッチが配置されている。第１アッパーソロエリア２５には、アッパースペシャルエリア２１と同様にして、複数のＬＥＤをそれぞれ備える複数のスイッチが配置されている。
【００３１】
第２アッパーソロエリア２６には、アッパースペシャルエリア２１と同様にして、複数のＬＥＤをそれぞれ備える複数のスイッチが配置されている。ペダルオーケストラエリア２７には、アッパースペシャルエリア２１と同様にして、複数のＬＥＤをそれぞれ備える複数のスイッチが配置されている。オートプレイオーケストラリズムエリア２８には、アッパースペシャルエリア２１と同様にして、複数のＬＥＤをそれぞれ備える複数のスイッチが配置されている。オートプレイオーケストラアカンパニメントエリア２９には、アッパースペシャルエリア２１と同様にして、複数のＬＥＤをそれぞれ備える複数のスイッチが配置されている。
【００３２】
図５は、ＬＣＤエリア３１を示している。ＬＣＤエリア３１には、ＬＣＤスクリーン５０とＬ１スイッチ５１−１とＬ２スイッチ５１−２とＬ３スイッチ５１−３とＬ４スイッチ５１−４とＬ５スイッチ５１−５とＲ１スイッチ５１−６とＲ２スイッチ５１−７とＲ３スイッチ５１−８とＲ４スイッチ５１−９とＲ５スイッチ５１−１０とＦ１スイッチ５１−１１とＦ２スイッチ５１−１２とＦ３スイッチ５１−１３とＦ４スイッチ５１−１４とＦ５スイッチ５１−１５とＦ６スイッチ５１−１６とＦ７スイッチ５１−１７とが配置されている。
【００３３】
ＬＣＤスクリーン５０は、液晶ディスプレイの表示面であり、その液晶ディスプレイは、ＬＣＤスクリーン５０に電子楽器本体２により生成された画面を表示する。その画面には、複数の記号が記載されている。その複数の記号は、その画面がＬＣＤスクリーン５１に表示されたときに、それぞれ、複数のスイッチ５１−１〜５１−１７の近傍に配置される。その記号は、それぞれ、近傍に配置されるスイッチ５１−ｉ（ｉ＝１，２，３，…，１７）に割り当てられる機能を示している。その記号は、近傍に配置されるスイッチ５１−ｉに機能が割り当てられていないときに、その画面に記載されない。
【００３４】
たとえば、アッパースペシャルスイッチ３５−１４が押下された後にアッパーピアノスイッチ４１−１が押下されるときに表示される画面には、ピアノの音色のリストが表示される。すなわち、その画面には、Ｌ１スイッチ５１−１の近傍に文字列「ＧｒａｎｄＰｉａｎｏ」が記載されている。Ｌ２スイッチ５１−２の近傍には、文字列「ＳｔｕｄｉｏＧｒａｎｄＰｉａｎｏ」が記載されている。Ｌ３スイッチ５１−３の近傍には、文字列「ＭｏｒｄｅｒｎＰｉａｎｏ」が記載されている。Ｌ４スイッチ５１−４の近傍には、文字列「ＲｏｃｋＰｉａｎｏ」が記載されている。Ｌ５スイッチ５１−５の近傍には、文字列「ＨｏｎｋｙＴｏｎｋＰｉａｎｏ」が記載されている。Ｒ１スイッチ５１−６の近傍には、文字列「ＰｉａｎｏＯｃｔａｖｅｓ１」が記載されている。Ｒ２スイッチ５１−７の近傍には、文字列「ＰｉａｎｏＯｃｔａｖｅｓ２」が記載されている。Ｒ３スイッチ５１−８の近傍には、文字列「ＥｌｅｃｒｉｃＧｒＰｉａｎｏ」が記載されている。Ｒ４スイッチ５１−９の近傍には、文字列「ＣｌａｓｓｉｃＥＰ１」が記載されている。Ｒ５スイッチ５１−１０の近傍には、文字列「ＣｌａｓｓｉｃＥＰ１」が記載されている。Ｆ１スイッチ５１−１１の近傍には、文字列「ＨＯＭＥ」が記載されている。Ｆ２スイッチ５１−１２の近傍には、記号が記載されていない。Ｆ３スイッチ５１−１３の近傍には、記号が記載されていない。Ｆ４スイッチ５１−１４の近傍には、記号が記載されていない。Ｆ５スイッチ５１−１５の近傍には、記号が記載されていない。Ｆ６スイッチ５１−１６の近傍には、左矢印が記載されている。Ｆ７スイッチ５１−１７の近傍には、右矢印が記載されている。
【００３５】
Ｌ１スイッチ５１−１が押下されると、アッパー鍵盤１１に音色「ＧｒａｎｄＰｉａｎｏ」が設定される。Ｌ２スイッチ５１−２が押下されると、アッパー鍵盤１１に音色「ＳｔｕｄｉｏＧｒａｎｄＰｉａｎｏ」が設定される。Ｌ３スイッチ５１−３が押下されると、アッパー鍵盤１１に音色「ＭｏｒｄｅｒｎＰｉａｎｏ」が設定される。Ｌ４スイッチ５１−４が押下されると、アッパー鍵盤１１に音色「ＲｏｃｋＰｉａｎｏ」が設定される。Ｌ５スイッチ５１−５が押下されると、アッパー鍵盤１１に音色「ＨｏｎｋｙＴｏｎｋＰｉａｎｏ」が設定される。Ｒ１スイッチ５１−６が押下されると、アッパー鍵盤１１に音色「ＰｉａｎｏＯｃｔａｖｅｓ１」が設定される。Ｒ２スイッチ５１−７が押下されると、アッパー鍵盤１１に音色「ＰｉａｎｏＯｃｔａｖｅｓ２」が設定される。Ｒ３スイッチ５１−８が押下されると、アッパー鍵盤１１に音色「ＥｌｅｃｒｉｃＧｒＰｉａｎｏ」が設定される。Ｒ４スイッチ５１−９が押下されると、アッパー鍵盤１１に音色「ＣｌａｓｓｉｃＥＰ１」が設定される。Ｒ５スイッチ５１−１０が押下されると、アッパー鍵盤１１に音色「ＣｌａｓｓｉｃＥＰ１」が設定される。
【００３６】
アッパースペシャルエリア２１に配置される他のスイッチ４１−２〜４１−８が押下されたときも、アッパースペシャルスイッチ３５−１４が押下された後にアッパーピアノスイッチ４１−１が押下されるときに表示される画面と同様にして、ＬＣＤスクリーン５０に音色のリストが表示される。すなわち、ＬＣＤスクリーン５０には、アッパースペシャルスイッチ３５−１４が押下された後にアッパーマレットスイッチ４１−２が押下されたときに、マレットの音色のリストが表示される。ＬＣＤスクリーン５０には、アッパースペシャルスイッチ３５−１４が押下された後にアッパーオルガンスイッチ４１−３が押下されたときに、オルガンの音色のリストが表示される。ＬＣＤスクリーン５０には、アッパースペシャルスイッチ３５−１４が押下された後にアッパーコズミックスイッチ４１−４が押下されたときに、コズミックの音色のリストが表示される。ＬＣＤスクリーン５０には、アッパースペシャルスイッチ３５−１４が押下された後にアッパーギタースイッチ４１−５が押下されたときに、ギターの音色のリストが表示される。ＬＣＤスクリーン５０には、アッパースペシャルスイッチ３５−１４が押下された後にアッパーブラスストリングススイッチ４１−６が押下されたときに、ブラスの音色またはストリングスの音色のリストが表示される。ＬＣＤスクリーン５０には、アッパースペシャルスイッチ３５−１４が押下された後にアッパーパッドスイッチ４１−７が押下されたときに、パッドの音色のリストが表示される。ＬＣＤスクリーン５０には、アッパースペシャルスイッチ３５−１４が押下された後にアッパーオールスイッチ４１−８が押下されたときに、その他の音色のリストが表示される。
【００３７】
図６は、電子楽器本体２を示している。電子楽器本体２は、図示されていないＣＰＵと記憶装置とを備える情報処理装置（コンピュータ）であり、コンピュータプログラムであるガイド内容データベース６１と第１ガイドデータベース６２と第２ガイドデータベース６３とガイド部６４と実行部６５とがインストールされている。
【００３８】
ガイド内容データベース６１は、ガイドの内容を記憶装置に記録している。第１ガイドデータベース６２は、ユーザによりガイドに沿った操作がされたときに、その操作の後に実行されるガイドの内容を記憶装置に記録している。第２ガイドデータベース６３は、ユーザによりガイドに沿わない操作がされたときに、その操作の後に実行されるガイドの内容を記憶装置に記録している。
【００３９】
ガイド部６４は、フロントパネル３を制御して、ガイド内容データベース６１により記録されるガイドを実行して、次に必要である操作をユーザに案内する。すなわち、ガイド部６４は、次に操作されなければならない複数のスイッチを示す画面を生成してＬＣＤスクリーン５０に表示する。または、ガイド部６４は、次に操作されなければならない複数のスイッチにそれぞれ配置される複数のＬＥＤを点滅させる。ガイド部６４は、次に操作されなければならない複数のスイッチを示す音声メッセージを生成して、その音声メッセージを発音する。
【００４０】
判別部６５は、ガイド部６４によりガイドが実行された後に、ユーザにより操作された内容がそのガイドにより案内された操作に沿っているかどうかを判別する。実行部６５は、ユーザにより操作された操作内容に対応する動作を実行する。
【００４１】
図７は、ガイド内容データベース６１を示している。ガイド内容データベース６１は、ガイドＩＤ７０に対応付けてガイド内容７１と操作内容７２とを記憶装置に記録している。ガイドＩＤ７０は、ガイド部６４により実行される複数のガイドを互いに識別している。ガイド内容７１は、ガイドＩＤ７０により識別されるガイドの内容を示している。すなわち、ガイド内容７１は、フロントパネル３に配置される複数のＬＥＤのうちの点滅される一部のＬＥＤを示し、または、フロントパネル３に配置される複数のスイッチのうちの一部のスイッチを案内する画面または音声を示している。操作内容７２は、ガイドＩＤ７０により示されるガイドにより案内される複数の操作内容を示し、フロントパネル３に配置される複数のスイッチのうちの一部のスイッチを示している。
【００４２】
たとえば、ガイド内容７１は、操作内容７２がキーボードコンダクターエリア１４に配置される複数のスイッチ３５−１〜３５−１６を示しているときに、キーボードコンダクターエリア１４に配置される複数のＬＥＤ３６−１〜３６−１６の点滅を示し、キーボードコンダクターエリア１４に配置される複数のスイッチ３５−１〜３５−１６の操作を促す画面または音声メッセージを示している。ガイド内容７１は、操作内容７２がアッパースペシャルエリア２１に配置される複数のスイッチ４１−１〜４１−８を示しているときに、アッパースペシャルエリア２１に配置される複数のＬＥＤ４５−１〜４５−８の点滅を示し、アッパースペシャルエリア２１に配置される複数のスイッチ４１−１〜４１−８の操作を促す画面または音声メッセージを示している。ガイド内容７１は、操作内容７２がＬＣＤエリア３１に配置される複数のスイッチ５１−１〜５１−１７を示しているときに、ＬＣＤエリア３１に配置される複数のスイッチ５１−１〜５１−１７の操作を促す画面または音声メッセージを示している。
【００４３】
すなわち、ガイド部６４は、ガイド内容７１に示されるガイドのうちの１つのガイドを実行する。判別部６５は、ガイド内容データベース６１を参照して、操作内容７２に示される操作内容のうちガイド部６４により実行されたガイドに対応している操作内容を抽出し、ガイド部６４によりガイドが実行された後に操作された操作内容がその抽出された操作内容に属しているかどうかを判別する。
【００４４】
図８は、第１ガイドデータベース６２を示している。第１ガイドデータベース６２は、操作内容７５に対応付けてガイドＩＤ７６と動作７７とを記憶装置に記録している。操作内容７５は、フロントパネル３に配置される複数のスイッチのうちの１つのスイッチを示している。ガイドＩＤ７６は、ガイド部６４により実行されるガイドを識別し、操作内容７５により示されるスイッチが操作された後にガイド部６４により実行されるガイドを示している。動作７７は、操作内容７５により示されるスイッチが操作された後に実行部６６により実行される動作を示している。
【００４５】
たとえば、ガイドＩＤ７６は、操作内容７５がアッパースペシャルスイッチ３５−１４の押下を示しているときに、アッパースペシャルエリア２１に配置される複数のスイッチ４１−１〜４１−８を案内するガイドを示している。動作７７は、操作内容７５がアッパースペシャルスイッチ３５−１４の押下を示しているときに、アッパースペシャルエリア２１に配置される複数のスイッチ４１−１〜４１−８による設定を有効にすることを示している。ガイドＩＤ７６は、操作内容７５がアッパーピアノスイッチ４１−１の押下を示しているときに、ＬＣＤエリア３１に配置される複数のスイッチ５１−１〜５１−１７を案内するガイドを示している。動作７７は、操作内容７５がアッパーピアノスイッチ４１−１の押下を示しているときに、ＬＣＤスクリーン５０にピアノの音色のリストを表示することを示している。
【００４６】
すなわち、ガイド部６４は、判別部６５によりガイド部６４により実行されたガイドに沿って操作されたと判別されたときに、第１ガイドデータベース６２を参照して、ガイドＩＤ７６のうちの操作された操作内容に対応するガイドＩＤを抽出し、ガイド内容データベース６１を参照して、ガイド内容７１のうちの抽出されたガイドＩＤに対応するガイドを実行する。実行部６６は、判別部６５によりガイド部６４により実行されたガイドに沿って操作されたと判別されたときに、第１ガイドデータベース６２を参照して、動作７７のうちの操作された操作内容に対応する動作を実行する。
【００４７】
図９は、第２ガイドデータベース６３を示している。第２ガイドデータベース６３は、操作内容７８に対応付けてガイドＩＤ７９と動作８０とを記憶装置に記録している。操作内容７８は、フロントパネル３に配置される複数のスイッチのうちの１つのスイッチを示している。ガイドＩＤ７９は、ガイド部６４により実行されるガイドを識別し、操作内容７８により示されるスイッチが操作された後にガイド部６４により実行されるガイドを示している。動作８０は、操作内容７８により示されるスイッチが操作された後に実行部６６により実行される動作を示している。
【００４８】
第２ガイドデータベース６３における操作内容７８とガイドＩＤ７９と動作８０との対応は、第１ガイドデータベース６２における操作内容７５とガイドＩＤ７６と動作７７との対応に異なっている。すなわち、第２ガイドデータベース６３においてある操作内容に対応するガイドＩＤは、第１ガイドデータベース６２でその操作内容に対応するガイドＩＤと異なっている。さらに、第２ガイドデータベース６３においてある操作内容に対応する動作は、第１ガイドデータベース６２でその操作内容に対応する動作と異なっている。
【００４９】
たとえば、ガイドＩＤ７９は、操作内容７８がアッパースペシャルエリア２１に配置される複数のスイッチ４１−１〜４１−８の押下を示しているときに、アッパースペシャルスイッチ３５−１４の押下を案内するガイドを示している。動作７７は、操作内容７５がアッパースペシャルエリア２１に配置される複数のスイッチ４１−１〜４１−８の押下を示しているときに、その操作がガイドに沿わないことを警告することを示している。
【００５０】
すなわち、ガイド部６４は、判別部６５によりガイド部６４により実行されたガイドに沿って操作されないと判別されたときに、第２ガイドデータベース６３を参照して、ガイドＩＤ７９のうちの操作された操作内容に対応するガイドＩＤを抽出し、ガイド内容データベース６１を参照して、ガイド内容７１のうちの抽出されたガイドＩＤに対応するガイドを実行する。実行部６６は、判別部６５によりガイド部６４により実行されたガイドに沿って操作されたと判別されないときに、第２ガイドデータベース６３を参照して、動作９０のうちの操作された操作内容に対応する動作を実行する。
【００５１】
電子楽器１は、動作モードが通常モードと操作内容が案内されるガイドモードとから形成されている。電子楽器１は、通常モードで、ガイドを実行しないで、ユーザの操作に基づいて動作する。たとえば、電子楽器１は、通常モードで、アッパー鍵盤１１のうちの打鍵される鍵に対応する楽音を発生し、ロワー鍵盤１２のうちの打鍵される鍵に対応する楽音を発生する。
【００５２】
ガイドモードにより操作内容が案内される機能としては、アッパー鍵盤１１に音色を割り当てる機能、ロワー鍵盤１２に音色を割り当てる機能、図示されていないペダル鍵盤に音色を割り当てる機能、アートプレイオーケストラのリズムパターンを選択する機能、アカンパニメントを設定する機能、トータルボリュームを設定する機能が例示される。
【００５３】
電子楽器１は、所定の操作を操作されると、通常モードからガイドモードに切り替わる。電子楽器１は、ガイドモードに切り替わると、まず、最初に操作しなければならない操作内容を案内するガイドが実行される。たとえば、電子楽器１は、アッパー鍵盤１１に音色を割り当てるガイドモードに切り替わると、まず、キーボードコンダクターエリア１４のスイッチ３５−１１〜３５−１６の押下を案内するガイドを実行する。
【００５４】
電子楽器１は、そのガイドが実行された後にフロントパネル３が操作されたときに、図１０に示されているように、その操作が直前に実行されたガイドにより案内された操作であるかどうかを判別する（ステップＳ１）。すなわち、電子楽器１は、ガイド内容データベース６１を参照して、直前に実行されたガイドに対応している操作内容を抽出し、そのガイドが実行された後に操作された操作内容がその抽出された操作内容に属しているかどうかを判別する。
【００５５】
電子楽器１は、その操作が案内された操作であるときに（ステップＳ１、ＹＥＳ）、第１ガイドデータベース６２を参照して、その操作に対応する動作を実行し、その操作に対応するガイドを実行する（ステップＳ２）。たとえば、電子楽器１は、スイッチ３５−１１〜３５−１６を案内するガイドの後にスイッチ３５−１１が押下されたときに、アッパースペシャルエリア２１に配置される複数のスイッチ４１−１〜４１−８による設定を有効にし、複数のスイッチ４１−１〜４１−８を案内するガイドを実行する。
【００５６】
電子楽器１は、その操作が案内された操作でないときに（ステップＳ１、ＮＯ）、第２ガイドデータベース６３を参照して、その操作に対応するガイドを検索する（ステップＳ３）。電子楽器１は、第２ガイドデータベース６３がその操作の次に必要な操作を案内するガイドに対応付けているときに（ステップＳ３、ＹＥＳ）、そのガイドを実行する（ステップＳ４）。たとえば、電子楽器１は、スイッチ３５−１１〜３５−１６を案内するガイドの後にスイッチ４１−１が押下されたときに、その操作がガイドに沿わないことを警告し、アッパースペシャルスイッチ３５−１４の押下を案内するガイドを実行する。
【００５７】
電子楽器１は、第２ガイドデータベース６３がその操作の次に必要な操作を案内するガイドに対応付けていないときに（ステップＳ３、ＮＯ）、ガイドモードを終了して通常モードに切り替わる（ステップＳ５）。ステップＳ１〜ステップＳ４の動作は、ガイドモードが終了するまで、すなわち、ステップＳ５が実行されるまで繰り返して実行される。
【００５８】
電子楽器は、複数のスイッチが所定の順番で押下されることにより、１つの機能を実行することができる。さらに、電子楽器は、一般的に、その１つの機能をその複数のスイッチが他の順番で押下されることにより実行されることもできる。このため、ユーザは、電子楽器１の取り扱いに慣れてくると、複数のスイッチを所定の順番以外の様々な順番で操作して、その機能を実行しようとする。本発明による電子楽器１は、このような場合であっても、案内される操作内容の順番をユーザの操作により適宜に変更することができ、より適切な操作内容をユーザに案内することができる。
【００５９】
本発明による電子楽器の実施の他の形態は、既述の実施の形態における第２ガイドデータベース６３が他の第２ガイドデータベースに置換されている。その第２ガイドデータベースは、操作内容に対応する動作が動作しないことに全て対応付けられている。すなわち、このような電子楽器は、ガイドモードでガイドに沿わない操作を実行すると、その操作が無視される。このような電子楽器によれば、ユーザは、ある機能を実行させようとするときに、ガイドモードで複数のスイッチを所定の順番のみで操作しなけれならなくなり、電子楽器は、その機能をより確実に実行することができる。
【００６０】
本発明による電子楽器の実施のさらに他の形態は、既述の実施の形態における第２ガイドデータベース６３が他の第２ガイドデータベースに置換されている。その第２ガイドデータベースは、操作内容に対応する動作がガイドに沿わないことを警告することに全て対応付けられている。このような電子楽器によれば、ユーザは、ある機能を実行させようとするときに、ガイドモードで複数のスイッチを所定の順番のみで操作しなけれならなくなり、電子楽器は、その機能をより確実に実行することができる。
【００６１】
本発明による電子楽器の実施のさらに他の形態は、既述の実施の形態における第２ガイドデータベース６３が他の第２ガイドデータベースに置換されている。その第２ガイドデータベースは、操作内容に対応する動作がガイドモードを終了して通常モードに切り替わることに全て対応付けられている。このような電子楽器によれば、ユーザは、容易にガイドモードを通常モードに切り替えることができ、好ましい。
【図面の簡単な説明】
【００６２】
【図１】図１は、本発明による電子楽器の実施の形態を示すブロック図である。
【図２】図２は、フロントパネルを示す平面図である。
【図３】図３は、フロントパネルのキーボードコンダクターエリアを示す平面図である。
【図４】図４は、フロントパネルのアッパースペシャルエリアを示す平面図である。
【図５】図５は、フロントパネルのＬＣＤエリアを示す平面図である。
【図６】図６は、電子楽器本体を示すブロック図である。
【図７】図７は、ガイド内容データベースを示す図である。
【図８】図８は、第１ガイドデータベースを示す図である。
【図９】図９は、第２ガイドデータベースを示す図である。
【図１０】図１０は、本発明による電子楽器のガイドモードでの動作を示すフローチャートである。
【符号の説明】
【００６３】
１  ：電子楽器
２  ：電子楽器本体
３  ：フロントパネル
１１：アッパー鍵盤
１２：ロワー鍵盤
１４：キーボードコンダクターエリア
１５：第１ロワーペダルソロエリア
１６：第２ロワーペダルソロエリア
１７：第１ロワーオーケストラエリア
１８：第２ロワーオーケストラエリア
１９：アッパーティビアパーカスエリア
２０：ティビアコントロールエリア
２１：アッパースペシャルエリア
２２：ロワースペシャルエリア
２３：第１アッパーオーケストラエリア
２４：第２アッパーオーケストラエリア
２５：第１アッパーソロエリア
２６：第２アッパーソロエリア
２７：ペダルオーケストラエリア
２８：オートプレイオーケストラリズムエリア
２９：オートプレイオーケストラアカンパニメントエリア
３１：ＬＣＤエリア
３５−１  ：ペダルティビアスイッチ
３５−２  ：ペダルオーケストラスイッチ
３５−３  ：第１ペダルソロスイッチ
３５−４  ：第２ペダルソロスイッチ
３５−５  ：ロワーティビアスイッチ
３５−６  ：第１ロワーオーケストラスイッチ
３５−７  ：第２ロワーオーケストラスイッチ
３５−８  ：ロワースペシャルスイッチ
３５−９  ：第１ロワーソロスイッチ
３５−１０：第２ロワーソロスイッチ
３５−１１：アッパーティビアパーカススイッチ
３５−１２：第１アッパーオーケストラスイッチ
３５−１３：第２アッパーオーケストラスイッチ
３５−１４：アッパースペシャルスイッチ
３５−１５：第１アッパーソロスイッチ
３５−１６：第２アッパーソロスイッチ
３６−１  ：ペダルティビアＬＥＤ
３６−２  ：ペダルオーケストラＬＥＤ
３６−３  ：第１ペダルソロＬＥＤ
３６−４  ：第２ペダルソロＬＥＤ
３６−５  ：ロワーティビアＬＥＤ
３６−６  ：第１ロワーオーケストラＬＥＤ
３６−７  ：第２ロワーオーケストラＬＥＤ
３６−８  ：ロワースペシャルＬＥＤ
３６−９  ：第１ロワーソロＬＥＤ
３６−１０：第２ロワーソロＬＥＤ
３６−１１：アッパーティビアパーカスＬＥＤ
３６−１２：第１アッパーオーケストラＬＥＤ
３６−１３：第２アッパーオーケストラＬＥＤ
３６−１４：アッパースペシャルＬＥＤ
３６−１５：第１アッパーソロＬＥＤ
３６−１６：第２アッパーソロＬＥＤ
４１−１：アッパーピアノスイッチ
４１−２：アッパーマレットスイッチ
４１−３：アッパーオルガンスイッチ
４１−４：アッパーコズミックスイッチ
４１−５：アッパーギタースイッチ
４１−６：アッパーブラスストリングススイッチ
４１−７：アッパーパッドスイッチ
４１−８：アッパーオールスイッチ
４２：エフェクトセッティングスイッチ
４３：サスティンスイッチ
４４：ボリュームスイッチ
４６：ボリュームＬＥＤ
４５−１：アッパーピアノＬＥＤ
４５−２：アッパーマレットＬＥＤ
４５−３：アッパーオルガンＬＥＤ
４５−４：アッパーコズミックＬＥＤ
４５−５：アッパーギターＬＥＤ
４５−６：アッパーブラスストリングスＬＥＤ
４５−７：アッパーパッドＬＥＤ
４５−８：アッパーオールＬＥＤ
５１−１  ：Ｌ１スイッチ
５１−２  ：Ｌ２スイッチ
５１−３  ：Ｌ３スイッチ
５１−４  ：Ｌ４スイッチ
５１−５  ：Ｌ５スイッチ
５１−６  ：Ｒ１スイッチ
５１−７  ：Ｒ２スイッチ
５１−８  ：Ｒ３スイッチ
５１−９  ：Ｒ４スイッチ
５１−１０：Ｒ５スイッチ
５１−１１：Ｆ１スイッチ
５１−１２：Ｆ２スイッチ
５１−１３：Ｆ３スイッチ
５１−１４：Ｆ４スイッチ
５１−１５：Ｆ５スイッチ
５１−１６：Ｆ６スイッチ
５１−１７：Ｆ７スイッチ
６１：ガイド内容データベース
６２：第１ガイドデータベース
６３：第１ガイドデータベース
６４：ガイド部
６５：判別部
６６：実行部
７０：ガイドＩＤ
７１：ガイド内容
７２：操作内容
７４：操作内容
７５：ガイドＩＤ
７６：動作
７８：操作内容
７９：ガイドＩＤ
８０：動作
【図１】
2005331878.tif 000003
【図２】
2005331878.tif 000004
【図３】
2005331878.tif 000005
【図４】
2005331878.tif 000006
【図５】
2005331878.tif 000007
【図６】
2005331878.tif 000008
【図７】
2005331878.tif 000009
【図８】
2005331878.tif 000010
【図９】
2005331878.tif 000011
【図１０】
2005331878.tif 000012